(57)【要約】【課題】この発明は、発熱部材と放熱部材とを容易に接触させることができる発熱部材の放熱構造を提供すること【解決手段】放熱構造体１は、基板１３に対して立設された発熱部品２０と、発熱部品２０に近接するとともに、並列配置される側面１２ｂと、発熱部品２０を保護する、着脱自在のアッパーカバー１２と、発熱部品２０を側面１２ｂに押し付ける押し付け部材３０とが備えられ、押し付け部材３０は、アッパーカバー１２を装着する装着動作に伴って、側面１２ｂに向けて発熱部品２０を押し付けるとともに、アッパーカバー１２の装着状態において、発熱部品２０と側面１２ｂとを接触させるように構成された【選択図】図１
2020161772.tif 000002
【特許請求の範囲】
【請求項１】
基板に対して立設された発熱部材と、
該発熱部材に近接するとともに、並列配置される放熱部材と、
着脱自在の外装カバーと、
前記放熱部材と前記発熱部材との少なくともに一方を、他方に押し付ける押し付け部材とが備えられ、
前記押し付け部材は、前記外装カバーを装着する装着動作に伴って、前記他方に向けて前記一方を押し付けるとともに、
前記外装カバーの装着状態において、前記発熱部材と前記放熱部材とを接触させる
発熱部材の放熱構造。
【請求項２】
前記外装カバーは、前記発熱部材が前記基板に対して立設する立設方向に沿って着脱自在に構成され、
前記押し付け部材は、
前記一方を前記他方に向けて押圧する押圧部と、
前記外装カバーの装着動作に伴い外力が作用する被作用部と、
所定の位置に固定されるとともに、前記被作用部に作用した外力に基づき、前記押圧部を移動可能に支持する支持部とが備えられた
請求項１に記載の発熱部材の放熱構造。
【請求項３】
前記支持部は、
前記押し付け部材を枢動可能に枢支する枢支部で構成され、
前記押し付け部材は、
前記発熱部材と前記放熱部材とが対向する方向に向けて屈曲し、
前記枢支部に対して一端側に前記押圧部が備えられるとともに、前記枢支部に対して他端側に前記被作用部が備えられた
請求項２に記載の発熱部材の放熱構造。
【請求項４】
前記外装カバーの装着を解除した状態において、前記被作用部が所定の位置で留まるように位置規制する位置規制部が備えられた
請求項２又は請求項３に記載の発熱部材の放熱構造。
【請求項５】
前記押し付け部材は、前記外装カバーの前記立設方向と交差する面に設けられており、
前記外装カバーは、前記押し付け部材が配置された箇所を内部側に窪ませた
請求項２乃至請求項４のうちのいずれかに記載の発熱部材の放熱構造。
【請求項６】
前記押し付け部材を、前記発熱部材と前記放熱部材とを接触させた状態で固定する固定部が備えられた
請求項１乃至請求項５のうちのいずれかに記載の発熱部材の放熱構造。
【請求項７】
前記押し付け部材に、前記一方を押し付ける箇所が前記他方に向けて突出する突出部が設けられた
請求項１乃至請求項６のうちのいずれかに記載の発熱部材の放熱構造。
【請求項８】
前記放熱部材に対して前記発熱部材が並列配置される方向と直交する方向に沿って、複数の前記発熱部材が縦列配置され、
前記押し付け部材は、
前記外装カバーを装着する装着動作に伴って、複数の前記発熱部材が前記放熱部材と前記他方に向けて前記一方を押し付け、複数の前記発熱部材と前記放熱部材とを接触させる
請求項１乃至請求項７のうちのいずれかに記載の発熱部材の放熱構造。
【請求項９】
前記押し付け部材は、縦列配置された複数の前記発熱部材に対応するように複数配置され、
複数配置された前記押し付け部材同士を連結する連結部が備えられた
請求項８に記載の発熱部材の放熱構造。
【請求項１０】
所望の位置に前記外装カバーを案内する装着案内部が設けられた
請求項１乃至請求項９のうちのいずれかに記載の発熱部材の放熱構造。
【請求項１１】
前記一方に、押し付けられる前記押し付け部材が当接する当接凹部が設けられた
請求項１乃至請求項１０のうちのいずれかに記載の発熱部材の放熱構造。
【請求項１２】
前記外装カバーの装着に伴って、前記押し付け部材が前記一方を押し付ける力を調整する調整部が設けられた
請求項１乃至請求項１１のうちのいずれかに記載の発熱部材の放熱構造。
【発明の詳細な説明】
【技術分野】
【０００１】
この発明は、例えば、基板に実装される発熱部材の放熱構造に関する。
【背景技術】
【０００２】
従来、発熱する電子部品や電子部品が実装された実装基板（これらをまとめて以下において発熱部材という）を基板に実装させた基板構造において、発熱部材の熱を放熱する放熱部材を発熱部材に併設した発熱部材の放熱構造が提案されている。
【０００３】
例えば、特許文献１に記載の発熱部材の放熱構造では、基板に設置された放熱部材に対して、バネ性を有するクランプ部材で発熱部材を押し付けることで、発熱部材の熱を放熱部材に伝達させて放熱する構造が開示されている。
【０００４】
なお、特許文献１に記載の発熱部品の放熱構造では、基板に対して発熱部材をハンダ実装したうえで、発熱部材と近接する位置に放熱部材を設置し、発熱部材を放熱部材に押付けるクランプ部材を放熱部材にネジ固定して組み付けることとなる。
【０００５】
このようなクランプ部材のネジ固定は製品として実装する際に行われることが多いが、ネジ固定のために組み付け作業する空間、つまり発熱部材に対して放熱部材が配置された側と反対側の空間には、一般的に多くの他の電子部品やトランス、コネクタ等が設置されているため、組み付け作業時に作業者の手や道具が他の電子部品などと干渉したり、組み付け作業を行うスペースが確保できなかったりと、組み付け作業が複雑化していることがあり、発熱部材を放熱部材とを接触させるために手間を要する場合があった。
【先行技術文献】
【特許文献】
【０００６】
【特許文献１】特開２００４−１４６６２７号公報
【発明の概要】
【発明が解決しようとする課題】
【０００７】
この発明は、上述した問題を鑑み、発熱部材と放熱部材とを容易に接触させることができる発熱部材の放熱構造を提供することを目的とする。
【課題を解決するための手段】
【０００８】
この発明は、基板に対して立設された発熱部材と、該発熱部材に近接するとともに、並列配置される放熱部材と、前記発熱部材を保護する着脱自在の外装カバーと、前記放熱部材と前記発熱部材との少なくともに一方を、他方に押し付ける押し付け部材とが備えられ、前記押し付け部材は、前記外装カバーを装着する装着動作に伴って、前記他方に向けて前記一方を押し付けるとともに、前記外装カバーの装着状態において、前記発熱部材と前記放熱部材とを接触させる発熱部材の放熱構造であることを特徴とする。
【０００９】
上述の基板に実装された発熱部材は、基板に実装するトランジスタなどの電子部品、あるいはこれらの電子部品が別の基板に実装された電子部品実装基板であってもよい。  
前記放熱部材は、例えば前記外装カバーの側壁である場合や、前記外装カバーに取り付けられた別部材である場合、前記外装カバーとは別体である場合を含む。
【００１０】
上述の着脱自在の外装カバーとは、前記発熱部材が前記基板に対して立設する立設方向に沿って着脱させる構成や、前記外装カバーの端辺を枢動軸として枢動させることにより着脱させる構成、所望の位置にスライドさせて装着させる構成などを含む。
【００１１】
なお、上述の所望の位置にスライドさせて装着させるとは、前記外装カバーを前記発熱部材に対する前記放熱部材の方向に移動させることをさす。すなわち、前記発熱部材に対する前記放熱部材の方向に前記外装カバーを移動させることにより、前記押し付け部材が前記発熱部材を前記放熱部材に押し付ける構成をさす。
【００１２】
上述の前記発熱部材と前記放熱部材とを接触させるとは、直接的又は間接的に前記発熱部材と前記放熱部材とを接触させる場合を含む。具体的には、前記発熱部材と前記放熱部材とが直接接触している場合の他、絶縁シールなどの別部材を介して前記発熱部材と前記放熱部材とが接触している場合を含む。
【００１３】
この発明により、前記外装カバーを装着するだけで、装着状態において前記外装カバーの内部に配置される前記一方を、前記押し付け部材で前記他方に押し付けることができる。これにより、前記発熱部材と前記放熱部材とを容易に接触させることができる。
【００１４】
この発明の態様として、前記外装カバーは、前記発熱部材が前記基板に対して立設する立設方向に沿って着脱自在に構成され、前記押し付け部材は、前記一方を前記他方に向けて押圧する押圧部と、前記外装カバーの装着動作に伴い外力が作用する被作用部と、所定の位置に固定されるとともに、前記被作用部に作用した外力に基づき、前記押圧部を移動可能に支持する支持部とが備えられてもよい。
【００１５】
この発明によると、前記外装カバーを前記立設方向に沿って装着させるだけで、前記被作用部に作用する外力を前記押圧部に伝達し、前記一方を前記他方に向けて押圧するように前記押圧部を移動させることができる。すなわち、前記外装カバーを前記立設方向に沿って移動させると言った単純動作により、前記一方を前記他方に押し付けることができるため、容易に前記発熱部材の熱を前記放熱部材に伝達させて放熱することができる。
【００１６】
また、前記外装カバーを前記立設方向に沿って動かすだけであるため、前記基板に立設されている前記発熱部材以外の様々な電子部品などに、前記外装カバーの装着動作に伴って、前記押し付け部材が干渉することを防止できる。したがって、前記基板に立設した電子部品などが損傷することを防止できる。
【００１７】
またこの発明の態様として、前記支持部は、前記押し付け部材を枢動可能に枢支する枢支部で構成され、前記押し付け部材は、前記発熱部材と前記放熱部材とが対向する方向に向けて屈曲し、前記枢支部に対して一端側に前記押圧部が備えられるとともに、前記枢支部に対して他端側に前記被作用部が備えられてもよい。  
上述の屈曲とは、前記押し付け部材が折り曲げられている場合や、湾曲している場合を含む。
【００１８】
上述の前記発熱部材と前記放熱部材とが対向する方向に向けて屈曲とは、前記発熱部材に向けて凸状又は凹状に屈曲している場合を含む。
【００１９】
前記枢支部は、前記押し付け部材が屈曲している箇所に設けられている場合に限定されず、屈曲していない箇所に設けられている場合も含む。
【００２０】
この発明により、簡易な構造で前記発熱部材を前記放熱部材に押し付けて放熱することができる。  
詳述すると、前記外装カバーの装着動作によって前記被作用部に対して外力が作用し、前記押し付け部材が前記枢支部を枢支軸として枢動する。これにより、前記押し付け部材の一端側に設けられた前記押圧部が前記一方を前記他方に押し付け、前記発熱部材と前記放熱部材とを接触させることができる。
【００２１】
このように、前記外装カバーの装着によって前記押し付け部材を枢動させることで、前記外装カバーを立設方向に沿って装着させる際の外力を、前記一方を前記他方に押し付ける力に変化することができる。また、前記外装カバーを立設方向に沿って装着させる際の外力により、前記押し付け部材が枢動するため、
装着状態において前記押し込み部材の他端側に負荷がかかることなく、前記押し付け部材が損傷することを防止できる。
【００２２】
またこの発明の態様として、前記外装カバーの装着を解除した状態において、前記被作用部が所定の位置で留まるように規制する位置規制部が備えられてもよい。  
この発明により、前記外装カバーが解除された状態において、前記押し付け部材が意図せずに他の部材と干渉することを防止できる。
【００２３】
なお、上述の所定の位置で留まるとは、例えば、前記被作用部が所定の位置に配置されるように前記押し付け部材の位置を固定する場合や、前記被作用部が所定の位置よりも内側や外側に移動しないように、前記押し付け部材の移動を所定の範囲で規制する場合を含む。
【００２４】
またこの発明の態様として、前記押し付け部材は、前記外装カバーの前記立設方向と交差する面に設けられており、前記外装カバーは、前記押し付け部材が配置された箇所を内部側に窪ませてもよい。  
この発明により、窪ませた箇所に外力を作用させて前記外装カバーを装着させることで、前記押し付け部材を前記一方に確実に押し付けることができるとともに、省スペース化を図ることができる。
【００２５】
またこの発明の態様として、前記押し付け部材を、前記発熱部材と前記放熱部材とを接触させた状態で固定する固定部が備えられてもよい。  
この発明により、前記外装カバーが装着された状態で、前記発熱部材と前記放熱部材とが接触した状態を維持することができるため、例えば、車体の振動などにより、前記押し付け部材が前記一方を押し付ける方向と反対方向に意図しない外力が作用した場合であっても、前記発熱部材と前記放熱部材とが接触した状態を維持できるため、確実に前記発熱部材の熱を前記放熱部材から放熱させることができる。
【００２６】
またこの発明の態様として、前記押し付け部材に、前記一方を押し付ける箇所が前記他方に向けて突出する突出部が設けられてもよい。  
この発明により、前記押し付け部材が前記一方を確実に押し付けることができるため、より確実に前記放熱部材と前記発熱部材とを接触させることができ、より確実に前記発熱部材の熱を前記放熱部材で放熱させることができる。
【００２７】
またこの発明の態様として、前記放熱部材に対して前記発熱部材が並列配置される方向と直交する方向に沿って、複数の前記発熱部材が縦列配置され、前記押し付け部材は、前記外装カバーを装着する装着動作に伴って、複数の前記発熱部材が前記放熱部材と前記他方に向けて前記一方を押し付け、複数の前記発熱部材と前記放熱部材とを接触させてもよい。  
この発明により、前記外装カバーを取り付けるだけで、複数の発熱部材を一度に前記放熱部材と接触させることができるため、より容易かつ効率よく前記発熱部材の放熱を行うことができる。
【００２８】
またこの発明の態様として、前記押し付け部材は、縦列配置された複数の前記発熱部材に対応するように複数配置され、複数配置された前記押し付け部材同士を連結する連結部が備えられてもよい。  
この発明により、複数配置された前記発熱部材に対応するように配置した前記押し付け部材同士を前記連結部で連結されているため、前記押し付け部材の強度を向上させることができる。
【００２９】
またこの発明の態様として、所望の位置に前記外装カバーを案内する装着案内部が設けられてもよい。  
この発明により、前記外装カバーを所望の位置に容易かつ正確に装着させることができるため、より容易かつ確実に前記押し付け部材を前記一方に押し付けることができ、前記発熱部材と前記放熱部材とを確実に接触させることができる。
【００３０】
またこの発明の態様として、前記一方に、押し付けられる前記押し付け部材が当接する当接凹部が設けられてもよい。  
この発明により、前記押し付け部材を前記当接凹部に嵌めることができるため、前記一方に対する前記押し付け部材の位置ずれを防止できる。
【００３１】
またこの発明の態様として、前記外装カバーの装着に伴って、前記押し付け部材が前記一方を押し付ける押し付け強度を調整する調整部が設けられた  
前記調整部は、前記外装カバーを装着する装着動作により、前記押し付け部材が前記一方を押し付ける押し付け強度を調整する構成や、前記外装カバーの装着後に前記押し付け部材が前記一方を押し付ける押し付け強度を調整する構成であってもよい。
【００３２】
この発明により、前記一方を押し付ける押し付け強度を調整できるため、前記押し付け部材が過度に前記一方を押し付けたり、前記一方を押し付ける強度が弱かったりしたとしても、確実に前記一方を前記他方に押し付けることができるとともに、前記発熱部材の損傷を防止することができる。
【発明の効果】
【００３３】
この発明により、手間をかけずに発熱部材と放熱部材とを接触させることができる発熱部材の放熱構造を提供することができる。
【図面の簡単な説明】
【００３４】
【図１】放熱構造体の要部の概略斜視図。
【図２】放熱構造体の要部の概略分解斜視図。
【図３】放熱構造体の要部の縦断面図での説明図。
【図４】他の実施形態での放熱構造体の要部の縦断面図。
【図５】さらに別の実施形態での放熱構造体の要部の側面図。
【図６】さらに別の実施形態での放熱構造体の要部の側面図。
【図７】第２実施形態の放熱構造体の要部の概略斜視図。
【図８】第３実施形態での放熱構造体の要部の縦断面図での説明図。
【図９】第４実施形態での放熱構造体の要部の縦断面図での説明図。
【図１０】第５実施形態での放熱構造体の要部の縦断面図での説明図。
【発明を実施するための形態】
【００３５】
（第１実施形態）  
この発明の第１実施形態の放熱構造体１について、図１乃至図３とともに説明する。  
図１は放熱構造体１の要部の概略斜視図を示し、図２は放熱構造体１の要部の概略分解斜視図を示し、図３は放熱構造体１の要部の縦断面図による説明図を示している。  
【００３６】
詳述すると、図１（ａ）は放熱構造体１の要部のみを切り出して、筐体内部の内部空間から視た概略斜視図であり、図２は図１で示す放熱構造体１の要部を各構成に分解した概略分解斜視図である。  
なお、図２には、押し付け部材３０におけるα部及び枢支連結支持部４０におけるβ部の拡大斜視図も示している。
【００３７】
図３は放熱構造体１の要部の縦断面による説明図であり、詳しくは、図３（ａ）はアッパーカバー１２をアンダーカバー１１に取り付ける前の状態の縦断面図を示し、図３（ｂ）はアッパーカバー１２をアンダーカバー１１に取り付けた状態の縦断面図を示している。
【００３８】
ここで、放熱構造体１の高さ方向（図１において上下方向）を上下方向Ｈとし、その上側を上側Ｈｕとし、下側を下側Ｈｄとする。また、放熱構造体１の幅方向（図１において右下と左上とを結ぶ方向）を幅方向Ｗとし、放熱構造体１における筐体１０の内外方向（図１において右上と左下とを結ぶ方向）における内側（図１において右下側）を内側ＩＮとし、外側（図１において左上側）を外側ＯＵＴとする。この上下方向Ｈと幅方向Ｗはそれぞれ直交している。
【００３９】
放熱構造体１は、筐体１０の内部に収納された発熱部品２０の発する熱を筐体１０の外部に放出する放熱構造体であり、例えば電気接続箱などに搭載されている。  
この放熱構造体１は、図１及び図２に示すように、アンダーカバー１１とともに筐体１０を構成し、放熱部材として機能するアッパーカバー１２と、筐体１０の内側ＩＮに形成される内部空間に配置された基板１３に実装された発熱部品２０と、発熱部品２０をアッパーカバー１２に押付ける押し付け部材３０と、押し付け部材３０を枢支する枢支連結支持部４０とで構成されており、筐体１０に収容されている。
【００４０】
筐体１０は、底面１１ａと側面１１ｂとで構成する上側Ｈｕが開放された凹状のアンダーカバー１１と、上面１２ａと側面１２ｂとで構成する下側Ｈｄが開放された逆凹状のアッパーカバー１２とを上下方向Ｈに組み付けた箱形で構成され、内部に内部空間を有している。なお、図１及び図２は、筐体１０の一部しか図示していない。
【００４１】
アンダーカバー１１の側面１１ｂには、基板１３を設置できるように基板１３の形状に合わせて設けられた設置部１１ｃと、上方から装着するアッパーカバー１２を所望の位置に装着できるように案内する案内部１１ｄとが形成されている。  
案内部１１ｄは、側面１１ｂの上端面の外側に形成されたテーパ面であり、内部に向かうに伴い下方に向けて連続的に傾斜している。
【００４２】
放熱部材として機能するアッパーカバー１２は、アンダーカバー１１に対して上下方向Ｈから着脱自在に構成された放熱性の高い金属製のカバー体であり、上面１２ａと側面１２ｂとの交差部分には、内側ＩＮに向けて突出する規制凸部１２ｃが形成されている。また、アッパーカバー１２の側面１２ｂの内面には絶縁シート６０が貼り付けられている。
【００４３】
発熱部品２０は、トランジスタなどの電子部品であり、アンダーカバー１１にアッパーカバー１２を装着させた装着状態において、側面１２ｂと近接するとともに、内外方向に沿って並列配置されている。
【００４４】
この発熱部品２０は、底部から下方に延びる複数本（本実施形態では３本）の導電性を有する脚部２１を備え、脚部２１を基板１３に設けたスルーホール１３ａに貫通させるとともに、基板１３の底面側でハンダ固定されることで、基板１３に発熱部品２０を立設させて、実装することができる。なお、基板１３に対して発熱部品２０を立設する立設方向は上下方向Ｈと一致する。  
また、内側ＩＮ側の主面には、中央部分を外側ＯＵＴに向けてわずかに窪ませた当接凹部２２が設けられている。
【００４５】
なお、脚部２１をスルーホール１３ａに貫通させて実装した発熱部品２０は、基板１３の上面から適宜の間隔を隔てた高さに配置され、その下方に脚部２１が露出する態様、つまり、脚部２１で発熱部品２０が支持された状態で実装している。
【００４６】
押し付け部材３０は、後述する枢支連結支持部４０によって枢動可能に支持された部材であり、図３に示すように、幅方向Ｗから視て、外側ＯＵＴに折れ曲がる「く」の字状に形成されており、折れ曲がり箇所には幅方向Ｗに沿った円柱状の枢支軸３１が挿通されている。
【００４７】
この押し付け部材３０は、平板状に形成された押圧側本体３２と、押圧側本体３２の外側ＯＵＴの主面の中央部分やや上方から突出する平板状の被作用側本体３３とで構成されている。すなわち、押圧側本体３２と被作用側本体３３との幅方向Ｗから視た交差部分に枢支軸３１が幅方向Ｗに沿って挿通されている。
【００４８】
押圧側本体３２の下側Ｈｄの中央部分は、発熱部品２０を押し付ける押圧部３２１を構成しており、被作用側本体３３の外側ＯＵＴの中央部分は、発熱部品２０によって上方（上側Ｈｕ）に押し上げられる被作用部３３１を構成している。なお、押圧部３２１は外側ＯＵＴに向けて突出するように形成されており、被作用部３３１には下側Ｈｄに突出するように形成されている。
【００４９】
また、押圧側本体３２は、幅方向Ｗから視て被作用側本体３３よりも上側Ｈｕに突出しており、押圧側本体３２の側面（幅方向端面）には、幅方向Ｗに沿って窪ませた係止凹部３４が、枢支軸３１よりも外側ＯＵＴの上方に設けられている（図２中のα部参照）。
【００５０】
枢支連結支持部４０は、アッパーカバー１２の上面１２ａから内側ＩＮに向けて延設しており、所定の間隔を隔ててもうけられた平板状の支持部４１、４１と、支持部４１，４１上端を連結する連結壁４２とで構成されている。
【００５１】
支持部４１，４１は、上面１２ａに固定された平板であり、下側Ｈｄの中央部分には、押し付け部材３０の枢支軸３１を挿通させることができる貫通孔４３が設けられている。また、支持部４１，４１の幅方向Ｗの内側には、幅方向Ｗに沿って突出させた係止凸部４４が貫通孔４３よりも外側ＯＵＴの上方に設けられている（図２中のα部参照）。
【００５２】
連結壁４２は、支持部４１，４１の上端を連結する平板であり、押圧側本体３２が上下方向Ｈに沿って配置されている状態において、被作用側本体３３の外側ＯＵＴ側主面の上方が当接するように構成されている。  
これにより、被作用側本体３３が内側ＩＮに枢動して他の部材と干渉することを防止できる。
【００５３】
このように構成された押し付け部材３０と枢支連結支持部４０とは、図１に示すように、枢支軸３１を貫通孔４３に挿通させることにより、押し付け部材３０が枢支軸３１を枢動軸として枢動できるように、枢支連結支持部４０に支持されている。
【００５４】
絶縁シート６０は、絶縁性は有するものの、熱伝導性に優れたシート材であり、アッパーカバー１２の側面１２ｂの内面において、押し付け部材３０と対応する位置に貼り付けられている。
【００５５】
このように放熱構造体１は、図３（ａ）に示すように、アッパーカバー１２をアンダーカバー１１に装着させた状態において、アッパーカバー１２の側面１２ｂの内面に張り付けられた絶縁シート６０の内側ＩＮに、基板１３に実装された発熱部品２０が並列配置され、さらに内側ＩＮに配置された押し付け部材３０により発熱部品２０が外側ＯＵＴに押し付けている。
【００５６】
次に、押し付け部材３０で発熱部品２０を側面１２ｂに押し付ける方法について、図３に基づいて簡単に説明する。  
はじめに、押し付け部材３０及び枢支連結支持部４０が備えられたアッパーカバー１２を、アンダーカバー１１の上方に配置し、アンダーカバー１１に装着するように、下側Ｈｄに向けて移動させる（図３（ａ）参照）。このとき、側面１２ｂの下端部分が案内部１１ｄによって所望の位置に案内される。
【００５７】
これにより、押し付け部材３０の下方に配置された発熱部品２０の上面が被作用部３３１に当接して、被作用側本体３３が枢支軸３１を枢支軸として上方に押し上げられるように枢動する。これにより、被作用側本体３３と一体構成された押圧側本体３２も枢支軸３１を枢動軸として枢動して、押圧部３２１が発熱部品２０の内側ＩＮの内面を外側ＯＵＴに押し付け、発熱部品２０が絶縁シート６０を介して側面１２ｂに接触させる（図３（ｂ）参照）。これにより、発熱部品２０の熱を側面１２ｂに伝達させることができ、側面１２ｂから外部に放出することができる。
【００５８】
なお、アッパーカバー１２をアンダーカバー１１に装着させた状態において、アッパーカバー１２は基板１３を囲繞するようにアンダーカバー１１に装着されているため、筐体１０の内部において基板１３に実装された発熱部品２０を保護することができる。  
【００５９】
またこの状態で、係止凸部４４が係止凹部３４に嵌合するとともに、被作用側本体３３の上面が規制凸部１２ｃと当接するため、枢支軸３１ａが過度に外側ＯＵＴに発熱部品２０を押し付けることを防止できる。
【００６０】
このように構成された放熱構造体１は、基板１３に対して立設された発熱部品２０と、発熱部品２０に近接するとともに、並列配置される側面１２ｂと、発熱部品２０を保護する、着脱自在のアッパーカバー１２と、発熱部品２０を側面１２ｂに押し付ける押し付け部材３０とが備えられ、押し付け部材３０は、アッパーカバー１２を装着する装着動作に伴って、側面１２ｂに向けて発熱部品２０を押し付けるとともに、アッパーカバー１２の装着状態において、発熱部品２０と側面１２ｂとを接触させるように構成されているため、アッパーカバー１２を単に装着させるだけで、アッパーカバー１２の装着状態において筐体１０の内部に配置される発熱部品２０を、押し付け部材３０で側面１２ｂに向けて押し付けることができる。これにより、容易に発熱部品２０を側面１２ｂに接触させることができる。
【００６１】
また、アッパーカバー１２は、発熱部品２０が基板１３に対して立設する上下方向Ｈに沿って着脱自在に構成され、押し付け部材３０は、発熱部品２０を側面１２ｂに向けて押圧する押圧部３２１と、アッパーカバー１２の装着動作に伴い外力が作用する被作用部３３１と、所定の位置に固定されるとともに、被作用部３３１に作用した外力に基づき、押圧部３２１を移動可能に支持する枢支軸３１とが備えられていることにより、アッパーカバー１２を上下方向Ｈに沿って装着させるだけで、被作用部３３１に作用する外力を押圧部３２１に伝達し、発熱部品２０を側面１２ｂに向けて押圧するように押圧部３２１を移動させることができる。
【００６２】
すなわち、アッパーカバー１２を上下方向Ｈに沿って移動させるといった単純動作により、発熱部品２０を側面１２ｂに押し付けることができるため、容易に発熱部品２０の熱を側面１２ｂに伝達させて放熱させることができる。
【００６３】
また、アッパーカバー１２を上下方向Ｈに沿って動かすだけであるため、アッパーカバー１２の装着動作に伴って、基板１３に立設されている発熱部品２０以外の様々な電子部品などに押し付け部材３０が干渉することを防止できる。したがって、基板１３に立設した電子部品などが損傷することを防止できる。
【００６４】
また、枢支軸３１は押し付け部材３０を枢動可能に枢支し、押し付け部材３０は、発熱部品２０と押し付け部材３０とが対向する方向に向けて屈曲しており、枢支軸３１に対して一端側に押圧部３２１が備えられるとともに、枢支軸３１に対して他端側に被作用部３３１が備えられていることにより、より簡易な構造で発熱部品２０を側面１２ｂに押し付けて放熱することができる。
【００６５】
詳述すると、アッパーカバー１２の装着動作によって被作用部３３１に対して作用する外力により、枢支軸３１を枢支軸として押し付け部材３０が枢動し、押し付け部材３０の一端側に設けられた押圧部３２１が発熱部品２０を側面１２ｂに向けて押し付け、発熱部品２０と側面１２ｂとを接触させることができる。
【００６６】
このように、アッパーカバー１２の装着によって押し付け部材３０を枢動させることで、アッパーカバー１２を上下方向Ｈに沿って装着させる際の外力を、発熱部品２０を側面１２ｂに押し付ける力に変換することができる。
【００６７】
また、アッパーカバー１２を上下方向Ｈに沿って装着させる際の外力により、押し付け部材３０が枢動するため、装着状態において押し付け部材３０の他端側（被作用側本体３３）及び発熱部品２０に負荷がかかることなく、発熱部品２０及び押し付け部材３０が損傷することを防止できる。
【００６８】
また、アッパーカバー１２の装着を解除した状態において、被作用部３３１が所定の位置で留まるように規制する連結壁４２が備えられていることにより、アッパーカバー１２が解除された状態において、押し付け部材３０が意図せずに他の部材と干渉することを防止できる。
【００６９】
また、押し付け部材３０に、発熱部品２０と側面１２ｂとを接触させた状態で係止凸部４４と係止して固定する係止凹部３４が備えられていることにより、発熱部品２０と側面１２ｂとが接触した状態を維持することができる。
【００７０】
これにより、例えば、車体の振動などにより、押し付け部材３０が発熱部品２０を押し付ける方向と反対方向に意図しない外力が作用した場合であっても、発熱部品２０と側面１２ｂの接触状態を維持できるため、確実に発熱部品２０の熱を側面１２ｂから放熱させることができる。
【００７１】
さらにまた、押し付け部材３０に、発熱部品２０を押し付ける箇所が側面１２ｂに向けて突出する押圧部３２１が設けられていることにより、押し付け部材３０が発熱部品２０を確実に押し付けることができる。このため、より確実に側面１２ｂと発熱部品２０とを接触させることができ、より確実に発熱部品２０の熱を側面１２ｂで放熱させることができる。
【００７２】
また、所望の位置にアッパーカバー１２を案内する案内部１１ｄが設けられていることにより、アッパーカバー１２を所望の位置に容易かつ正確に装着させることができ、より容易かつ確実に押し付け部材３０を発熱部品２０に押し付けて、発熱部品２０と側面１２ｂとを確実に接触させることができる。
【００７３】
さらにまた、発熱部品２０に、押し付けられる押し付け部材３０が当接する当接凹部２２が設けられていることにより、押し付け部材３０を当接凹部２２に嵌めることができるため、発熱部品２０に対する押し付け部材３０の位置ずれを防止できる。
【００７４】
また、第１実施形態である放熱構造体１において、アッパーカバー１２は平面上に形成しているが、必ずしも平面状である必要はなく、例えば、図４に示すように、アッパーカバー１２の上面１２ａにおける枢支連結支持部４０が配置された箇所を内側ＩＮに窪ませてもよい。
【００７５】
このように、アッパーカバー１２における押し付け部材３０が配置された箇所を、より正確には押し付け部材３０を支持する枢支連結支持部４０が配置された箇所を内側ＩＮに窪ませることにより、当該箇所に外力を作用させてアッパーカバー１２を装着させることで、押し付け部材３０を発熱部品２０に確実に押し付けることができるとともに、省スペース化を図ることができる。
【００７６】
また、第１実施形態である放熱構造体１において、支持部４１には、枢支軸３１の外径と略同一の内径を有する貫通孔４３が設けられているが、例えば図５に示すような、発熱部品２０を押し付ける強度を調整可能な調整型貫通孔４５を備えてもよい。
【００７７】
以下、調整型貫通孔４５及び調整型貫通孔４５を備える枢支連結支持部４０ｘ及び放熱構造体１ｘについて、図５及び図６に基づいて簡単に説明する。ただし、以下で説明する構成のうち、上述した第１実施形態の放熱構造体１と同様の構成については、同一の符号を付して、その説明を省略する。
【００７８】
図５は、枢支連結支持部４０に対応する枢支連結支持部４０ｘ及び押し付け部材３０，発熱部品２０を幅方向Ｗから視た概略側面図を示し、図６は、幅方向Ｗから視た側面図による押し付け部材３０の移動を説明する説明図である。  
なお、図５及び図６においては、アンダーカバー１１及びアッパーカバー１２の表示を省略する。
【００７９】
図６について詳述すると、図６（ａ）はアッパーカバー１２をアンダーカバー１１に装着する前の押し付け部材３０及び枢支連結支持部４０ｘ、発熱部品２０の側面図を示し、図６（ｂ）は、アッパーカバー１２をアンダーカバー１１に向けて下降させている途中の押し付け部材３０及び枢支連結支持部４０ｘ、発熱部品２０の側面図を示している。
【００８０】
同様に、図６（ｃ）は、アッパーカバー１２をアンダーカバー１１に向けて下降させている途中の押し付け部材３０及び枢支連結支持部４０ｘ、発熱部品２０の側面図を示し、図６（ｄ）は、アッパーカバー１２をアンダーカバー１１に装着した状態の押し付け部材３０及び枢支連結支持部４０ｘ、発熱部品２０の側面図を示している。  
【００８１】
枢支連結支持部４０に対応する枢支連結支持部４０ｘに設けられた調整型貫通孔４５は、枢支連結支持部４０における貫通孔４３に対応している。  
この調整型貫通孔４５は、支持部４１ｘの板厚方向に沿って貫通するとともに、枢支軸３１の外径と略同じ幅を有する貫通孔を、幅方向Ｗから視て階段状となるように上下方向Ｈに沿って複数配置して形成されている。
【００８２】
詳述すると、調整型貫通孔４５は、図５に示すように、枢支軸３１の外径と略同一の幅を有し、内外方向に沿った３本の貫通部４５１と、貫通部４５１の端部を上下方向に沿って連通させる２本の連通部４５２と構成され、３本の貫通部４５１が、内外方向にずれた状態で上下方向Ｈに沿って連続するように配置されている。  
【００８３】
より詳しくは、３本の貫通孔４５１のうち、中央に配置された貫通孔４５１ｂは、外側ＯＵＴの端部が、上方に配置された貫通孔４５１ａの内側ＩＮの端部と部分的に重なるように位置に配置されるとともに、内側ＩＮの端部が下方に配置された貫通孔４５１ｃの外側ＯＵＴの端部と部分的に重なるように配置され、それぞれの対応する端部同士は、枢支軸３１の外径と同じ幅を有する連通部４５２を介して挿通されている。
【００８４】
なお、これらの貫通部４５１の内側ＩＮ及び外側ＯＵＴの端部は、それぞれ枢支軸３１の外径と略同形の円弧状に形成されており、上下方向Ｈに沿った連通部４５２よりも内外方向の外側に突出するように配置されている。
【００８５】
このように支持部４１ｘに配置された調整型貫通孔４５に挿通させた枢支軸３１は、押し付け部材３０を枢動可能に枢支するとともに、枢支連結支持部４０に対する内外方向への移動を許容する。
【００８６】
以下、枢支連結支持部４０ｘと押し付け部材３０による発熱部品２０の押し付けについて、図６に基づいて簡単に説明する。  
アッパーカバー１２をアンダーカバー１１に装着する前の状態において、枢支軸３１は調整型貫通孔４５の上方（上側Ｈｕ）かつ外側ＯＵＴ（貫通孔４５１ａの外側ＯＵＴ端部）に配置されている（図６（ａ）参照）。
【００８７】
この状態からアンダーカバー１１にアッパーカバー１２を装着させるように、アッパーカバー１２を下降させることで、発熱部品２０の上端面が被作用部３３１に当接し、枢支軸３１を枢動軸として、被作用側本体３３が上方に向かうとともに押圧側本体３２が外側ＯＵＴに向かうように押し付け部材３０が枢動する。これにより、押圧部３２１が発熱部品２０を押し付けることとなる（図６（ｂ）参照）。
【００８８】
この状況において、アッパーカバー１２をさらに下降させることで、枢支軸３１を枢動軸として押し付け部材３０が枢動することとなるが、発熱部品２０を介して側面１２ｂと当接している押圧部３２１に作用する反発力により、押し付け部材３０には内側ＩＮへの力が作用するため、押し付け部材３０に挿通された枢支軸３１が調整型貫通孔４５（貫通孔４５１ａ）に沿って、押し付け部材３０が下方かつ内側ＩＮ側に移動することとなる（図６（ｃ）参照）。
【００８９】
そして、さらにアッパーカバー１２を下降させてアンダーカバー１１に装着させることにより、枢支軸３１を枢動軸として押し付け部材３０がさらに枢動するため、枢支軸３１が連通部４５２及び貫通孔４５１ｂに沿って、押し付け部材３０が下方かつ内側ＩＮ側に移動することとなる（図６（ｃ）参照）。
【００９０】
これにより、押し付け部材３０が発熱部品２０を押し付ける力によって、押し付け部材３０を内側ＩＮ側に移動させることができ、押し付け部材３０が発熱部品２０を側面１２ｂに過度に押し付けることを防止し、発熱部品２０や側面１２ｂが損傷することを防止できる。
【００９１】
このように、アッパーカバー１２装着に伴って、押し付け部材３０が発熱部品２０を押し付ける押し付け強度を調整する調整型貫通孔４５が設けられていることにより、発熱部品２０を押し付ける押し付け強度を調整できるため、押し付け部材３０が過度に発熱部品２０を押し付けたり、発熱部品２０を押し付ける強度が弱かったりすることを防止できる。  
したがって、確実に発熱部品２０を側面１２ｂに押し付けることができるとともに、押し付け部材３０の押しつけによる、発熱部品２０の損傷を防止することができる。
【００９２】
（第２実施形態）
また、本実施形態では、発熱部品２０を一つとしているが、例えば図７に示すように、発熱部品２０を側面１２ｂに沿って複数（２つ）配置してもよい。  
なお、図７は図１に対応する概略斜視図であり、詳しくは、放熱構造体１Ａの概略斜視図を示している。
【００９３】
以下、発熱部品２０を複数配置した放熱構造体１Ａについて、図７に基づいて簡単に説明する。ただし、以下で説明する構成のうち、上述した第１実施形態の放熱構造体１と同様の構成については、同一の符号を付して、その説明を省略する。
【００９４】
放熱構造体１Ａは、発熱部品２０が側面１２ｂに沿って、すなわち発熱部品２０が側面１２ｂに対して並列配置された内外方向に対して直交する幅方向Ｗに沿って、２つ並んで縦列配置されているとともに、発熱部品２０に対応するように、押し付け部材３０Ａ，３０Ａが２つ並んで枢支連結支持部４０に支持されて配置されている。  
この押し付け部材３０Ａ，３０Ａは、枢支軸３１が共通していることを除いて、同じ構成をしている。
【００９５】
また、放熱構造体１Ａでは、押し付け部材３０を支持する枢支連結支持部４０Ａ，４０Ａが二つ並んで配置されており、枢支連結支持部４０Ａ，４０Ａ同士が連結部４６を介して連結されている。  
【００９６】
このように構成された放熱構造体１Ａは、側面１２ｂに対して発熱部品２０が並列配置される方向と直交する方向に沿って、複数の発熱部品２０が縦列配置され、押し付け部材３０は、アッパーカバー１２を装着する装着動作に伴って、複数の発熱部品２０が側面１２ｂと側面１２ｂに向けて発熱部品２０を押し付け、複数の発熱部品２０と側面１２ｂとを接触させることができるため、アッパーカバー１２をアンダーカバー１１に取り付けるだけで、複数の発熱部品２０を一度に側面１２ｂと接触させることができ、より容易かつ効率よく発熱部品２０の放熱を行うことができる。
【００９７】
また、押し付け部材３０は、縦列配置された複数の発熱部品２０に対応するように複数配置され、複数配置された押し付け部材３０同士を連結する連結部４６が備えられていることにより、押し付け部材３０の強度を向上させることができるとともに、外装部材の装着動作により、確実にそれぞれの発熱部品２０を側面１２ｂに接触させることができる。
【００９８】
（第３実施形態）
次に、この発明の第３実施形態の放熱構造体１Ｂについて、図８とともに説明する。ただし、以下で説明する構成のうち、上述した第１実施形態の放熱構造体１と同様の構成については、同一の符号を付して、その説明を省略する。
【００９９】
図８は、放熱構造体１Ｂの要部の縦断面図を示し、詳しくは、図８（ａ）はアンダーカバー１１にアッパーカバー１２Ｂを装着する前の放熱構造体１Ｂの縦断面図を示し、図８（ｂ）はアンダーカバー１１にアッパーカバー１２を装着させた状態の放熱構造体１Ｂの縦断面図を示す。
【０１００】
放熱構造体１Ｂは、アンダーカバー１１とともに筐体１０を構成し、放熱部材として機能するアッパーカバー１２と、筐体１０の内側ＩＮに形成される内部空間に配置された基板１３に実装された発熱部品２０と、発熱部品２０をアッパーカバー１２に押付ける押し付け部材５０Ｂとで構成され、筐体１０に収容されている。
【０１０１】
押し付け部材５０Ｂは、弾性を有する板状体で構成されており、図８に示すように、幅方向Ｗから視て外側ＯＵＴが屈曲した、逆「く」の字状に形成されている。  
詳述すると、押し付け部材５０Ｂは、板状体を折り曲げて形成しており、上面１２ａに固定された平板状の固定部５１Ｂと、固定部５１Ｂの外側ＯＵＴの端部から下方かつ内側ＩＮに傾斜するように延出する傾斜部５２Ｂとで一体構成されている。
【０１０２】
なお、固定部５１Ｂと傾斜部５２Ｂとの連結部位は、アッパーカバー１２をアンダーカバー１１に装着した装着状態において、発熱部品２０よりも外側ＯＵＴに配置されている。すなわち、装着状態において発熱部品２０の上方に傾斜部５２Ｂが配置されている（図８（ｂ）参照）。
【０１０３】
このように構成された放熱構造体１Ｂは、図８（ａ）に示すように、アンダーカバー１１に装着させるために、アッパーカバー１２を下側Ｈｄに向けて移動させた際に、発熱部品２０の上端が傾斜部５２Ｂに当接する。
【０１０４】
ここで、押し付け部材５０Ｂが弾性を有するとともに、傾斜部５２Ｂが固定部５１Ｂ（上面１２ａ）に対して下方かつ内側ＩＮに傾斜するように構成されているため、発熱部品２０の上面に当接することにより、押し付け部材５０Ｂが発熱部品２０を外側ＯＵＴに押し付けて、発熱部品２０を側面１２ｂに当接させることができる。
【０１０５】
このように、放熱構造体１Ｂは、基板１３に対して立設された発熱部品２０と、発熱部品２０に近接するとともに、並列配置される側面１２ｂと、着脱自在のアッパーカバー１２と、発熱部品２０を側面１２ｂに押し付ける押し付け部材５０Ｂとが備えられ、押し付け部材５０Ｂは、上面１２ａに固定された固定部５１Ｂと、下側Ｈｄに向かうに伴い内側ＩＮに向けて傾斜する傾斜部５２Ｂとで一体に構成されており、アッパーカバー１２を装着する装着動作に伴って、側面１２ｂに向けて発熱部品２０を押し付けるとともに、アッパーカバー１２の装着状態で、発熱部品２０と側面１２ｂとを接触させるため、アッパーカバー１２を単に装着させるだけで、アッパーカバー１２の装着状態において筐体１０の内部に配置される発熱部品２０を、押し付け部材３０で側面１２ｂに向けて押し付けることができる。これにより、容易に発熱部品２０を側面１２ｂに接触させることができる。
【０１０６】
（第４実施形態）
続いて、この発明の第４実施形態の放熱構造体１Ｃについて、図９とともに説明する。ただし、以下で説明する構成のうち、上述した第３実施形態の放熱構造体１Ｂと同様の構成については、同一の符号を付して、その説明を省略する。
【０１０７】
図９は、放熱構造体１Ｃの要部の縦断面図を示し、詳しくは、図９（ａ）はアンダーカバー１１にアッパーカバー１２を装着する前の放熱構造体１Ｃの縦断面図を示し、図９（ｂ）はアンダーカバー１１にアッパーカバー１２を装着させた状態の放熱構造体１Ｃの縦断面図を示す。
【０１０８】
放熱構造体１Ｃは、アンダーカバー１１とともに筐体１０を構成し、放熱部材として機能するアッパーカバー１２と、筐体１０の内側ＩＮに形成される内部空間に配置された基板１３に実装された発熱部品２０と、発熱部品２０をアッパーカバー１２に押付ける押し付け部材５０Ｃと、発熱部品２０の内側ＩＮに設けられた当接部７０とで構成され、筐体１０に収容されている。
【０１０９】
押し付け部材５０Ｃは、弾性を有する板状体で構成されており、図９に示すように、幅方向Ｗから視て外側ＯＵＴが屈曲した、逆「く」の字状に形成されている。  
詳述すると、押し付け部材５０Ｃは、上面１２ａに固定された平板状の固定部５１Ｂと、固定部５１Ｃの内側ＩＮの端部から、下方かつ外側ＯＵＴに傾斜するように延出する傾斜部５２Ｃと、傾斜部５２Ｃの下端から下方かつ内側ＩＮに傾斜するように延出する被作用部５３Ｃとで一体構成されており、傾斜部５２Ｃと被作用部５３Ｃとの連結部分には、外側ＯＵＴに向かって突出する円弧状の押圧部５４Ｃが形成されている。
【０１１０】
当接部７０は、発熱部品２０の内側ＩＮにおいて、発熱部品２０よりも低い構成された樹脂製の柱体であり、発熱部品２０と同様に、基端脚部７１をスルーホール１３ａに挿通させてハンダ固定することで基板１３に実装されている。なお、基端脚部７１は脚部２１よりも短くなるように構成されている。
【０１１１】
ここで、図９（ａ）に示すように、アンダーカバー１１に対してアッパーカバー１２を装着させる前の状態において、押し付け部材５０Ｃは発熱部品２０よりも内側ＩＮに配置されているとともに、被作用部５３Ｃは当接部７０の上方に配置されている。
【０１１２】
この状態で、アンダーカバー１１に装着させるため、アッパーカバー１２を下側Ｈｄに移動させることにより、被作用部５３Ｃの下方に配置された当接部７０が、被作用部５３Ｃと当接し、被作用部５３Ｃを上方に押し上げることとなる（図９（ｂ）参照）。
【０１１３】
ここで、下端が被作用部５３Ｃと連結する傾斜部５２Ｃは、上端が上面１２ａに固定された固定部５１Ｃの内側ＩＮの基端に固定されているため、固定部５１Ｃと傾斜部５２Ｃとの連結部分を支点として、傾斜部５２Ｃが枢動することとなる。これにより押圧部５４Ｃが外側ＯＵＴに移動して、発熱部品２０を押し付けることとなる。
【０１１４】
そしてアッパーカバー１２をアンダーカバー１１に装着させることで、当接部７０が被作用部５３Ｃを上方に押し上げ続けるため、押圧部５４Ｃが発熱部品２０を押し付けて側面１２ｂに接触させ、発熱部品２０の熱を側面１２ｂから外部へ放熱することができる。
【０１１５】
このように、放熱構造体１Ｃは、基板１３に対して立設された発熱部品２０と、発熱部品２０に近接するとともに、並列配置される側面１２ｂと、発熱部品２０を保護する、着脱自在のアッパーカバー１２と、発熱部品２０を側面１２ｂに押し付ける押し付け部材５０Ｃとが備えられ、押し付け部材５０Ｃは、上面１２ａに固定された固定部５１Ｃと、固定部５１Ｃの内側ＩＮの端部から下方かつ外側ＯＵＴに傾斜するように延出する傾斜部５２Ｃと、傾斜部５２Ｃの下端から下方かつ内側ＩＮに傾斜するように延出する被作用部５３Ｃとで一体構成で一体に構成されており、アッパーカバー１２を装着する装着動作に伴って、側面１２ｂに向けて発熱部品２０を押し付けるとともに、アッパーカバー１２の装着状態で、発熱部品２０と側面１２ｂとを接触させるため、アッパーカバー１２を単に装着させるだけで、アッパーカバー１２の装着状態において筐体１０の内部に配置される発熱部品２０を、押し付け部材３０で側面１２ｂに向けて押し付けることができる。これにより、容易に発熱部品２０を側面１２ｂに接触させることができる。
【０１１６】
なお、放熱構造体１Ｃにおいて、押し付け部材５０Ｃ及び当接部７０の材質を特に限定していないが、例えば外部に対して電磁波を通さない部材で構成することにより、内側ＩＮに配置された電子部品などに電磁波が影響を及ぼすことを防止できる。
【０１１７】
さらにいえば、放熱構造体１Ｃにおいて、押し付け部材５０Ｃ及び当接部７０が、幅方向Ｗにおいて発熱部品２０を覆うように構成することにより、内側ＩＮに配置された電子部品などに電磁波が影響を及ぼすことをより確実に防止できる。  
【０１１８】
（第５実施形態）
次に、この発明の第５実施形態の放熱構造体１Ｄについて、図１０とともに説明する。ただし、以下で説明する構成のうち、上述した第３実施形態の放熱構造体１Ｃと同様の構成については、同一の符号を付して、その説明を省略する。
【０１１９】
図１０は、放熱構造体１Ｄの要部の縦断面図を示し、詳しくは、図１０（ａ）はアンダーカバー１１にアッパーカバー１２Ｄを装着する前の放熱構造体１Ｄの縦断面図を示し、図１０（ｂ）はアンダーカバー１１にアッパーカバー１２を装着させた状態の放熱構造体１Ｄの縦断面図を示す。
【０１２０】
放熱構造体１Ｄは、アンダーカバー１１とともに筐体１０Ｄを構成し、放熱部材として機能するアッパーカバー１２Ｄと、筐体１０の内側ＩＮに形成される内部空間に配置された基板１３に実装された発熱部品２０と、発熱部品２０をアッパーカバー１２に押付ける押し付け部材５０Ｃとで構成され、筐体１０に収容されている。
【０１２１】
アッパーカバー１２Ｄは、図１０（ａ）に示すように、上面１２ａに対応する上面１２ａＤと、側面１２ｂに対応する側面１２ｂＤとを分離可能に構成されている。  
詳しくは、側面１２ｂＤの上端部分には、上面１２ａＤを挿入可能な溝部１２ｄＤが幅方向Ｗに沿って形成されている。この溝部１２ｄＤに対して上面１２ａＤを斜めから挿入し、溝部１２ｄＤを枢支軸として上面１２ａＤを枢動させることにより、上方を閉鎖する構成である（図９（ａ）参照）。  
なお、本実施形態の構成に限らず、側面１２ｂＤと上面１２ａＤとの間にヒンジを設けて枢動可能としてもよい。
【０１２２】
このように、溝部１２ｄＤに上面１２ａＤの端面を挿入して枢動させることにより、押圧部５４Ｃで発熱部品２０を押し付け、発熱部品２０と側面１２ｂＤとを接触させることができ、側面１２ｂＤから発熱部品２０の熱を放熱することができる。
【０１２３】
この発明の構成と、上述の実施形態との対応において、
放熱部材は、側面１２ｂ（アッパーカバー１２）に対応し、同様に、
外装カバーは、アッパーカバー１２、１２Ｄに対応し、
発熱部材の放熱構造は、放熱構造体１，１ｘ，１Ａ，１Ｂ，１Ｃ，１Ｄに対応し、
支持部及び枢支部は、枢支軸３１に対応し、
位置規制部は、連結壁４２に対応し、
固定部は、係止凹部３４に対応し、
突出部は、押圧部３２１に対応し、
装着案内部は、案内部１１ｄに対応し、
調整部は、調整型貫通孔４５に対応するが、
この発明は、上述の実施形態の構成のみに限定されるものではなく、多くの実施の形態を得ることができる。
【０１２４】
なお、以下の実施形態において、本実施形態と同じ構成については同一の番号を付しその説明を省略する。また、上述及び以下の実施形態に記載の内容は、それぞれの実施形態にのみ実施できるものではなく、効果を奏する限り適宜組み合わせを変更することができる。
【０１２５】
例えば、本実施形態において、発熱部品２０は、基板１３に実装するトランジスタなどの電子部品としているが、これに限定されず、電子部品が別の基板に実装された電子部品実装基板であってもよい。  
また、本実施形態では、放熱部材をアッパーカバー１２の側面１２ｂとしているが、例えば、アッパーカバー１２の側面１２ｂや上面１２ａに取り付けられた部材や、アッパーカバー１２とは別体で構成された放熱部材であってもよい。さらには、アッパーカバー１２と別体で構成された放熱部材を基板１３に立設してもよいし、別部材に固定してもよい。
【０１２６】
なお、放熱部材が側面１２ｂと別体で構成されている場合、必ずしも押し付け部材３０で発熱部品２０を押し付ける必要はなく、例えば押し付け部材３０で放熱部材を発熱部品２０に押し付けてもよいし、放熱部材及び発熱部品２０の両方を他方に向けて押し付けて接触させてもよい。
【０１２７】
さらにまた、アンダーカバー１１に対して着脱自在のアッパーカバー１２は、発熱部品２０が基板１３に対して立設する上下方向Ｈに沿ってアッパーカバー１２を着脱させる構成や、アッパーカバー１２の端辺を枢動軸として枢動させることにより着脱させるアッパーカバー１２Ｄとしているが、これ以外にも、所望の位置からずれて配置された状態から、例えばネジ止めなどにより所望の位置にスライド移動させることで装着するとともに、押し付け部材５０Ｃが発熱部品２０を押し付ける構成としてもよい。
【０１２８】
すなわち、発熱部品２０に対する側面１２ｂの方向（外側ＯＵＴ）に向けてアッパーカバーを移動させることにより、押し付け部材５０Ｃが発熱部品２０を側面１２ｂに押し付ける構成としてもよい。さらには、幅方向Ｗに向けてアッパーカバーを移動させて、発熱部品２０と対応する位置に押し付け部材５０Ｃを配置させた後に、発熱部品２０に対する側面１２ｂの方向（外側ＯＵＴ）に向けてアッパーカバーを移動させる構成としてもよい。
【０１２９】
また、アッパーカバー１２は、装着状態において、発熱部品２０が実装された基板１３の外周面を側面１２ｂで囲繞するように構成されているが、必ずしもこの構成である必要はなく、発熱部品２０の周囲を囲う構成としてもよい。
【０１３０】
また、発熱部品２０と側面１２ｂとを間接的に接触させているが、直接的に接触させてもよい。この場合、発熱部品２０とアッパーカバー１２との間での電気的な接続は当然にないようにアッパーカバー１２と発熱部品２０の少なくとも一方に対応させる必要がある。
【０１３１】
また、本実施形態である第１実施形態において、アンダーカバー１１にアッパーカバー１２を装着していない状態において、押し付け部材３０が過度に枢動しないように、連結壁４２を設けているが、この構成に限らず、被作用部３３１が所定の位置に配置されるように押し付け部材３０の位置を固定する構成としてもよい。  
なお、当然ながら、押し付け部材３０が内側ＩＮに枢動することを規制する構成を設けてもよい。
【０１３２】
また、放熱構造体１Ｃでは、内側ＩＮに配置された電子部品などに電磁波が影響を及ぼすことを防止するために、押し付け部材５０Ｃ及び当接部７０で、発熱部品２０を覆うように構成することができるが、放熱構造体１Ｂ，放熱構造体１Ｄにおいて、押し付け部材５０Ｂ、押し付け部材５０Ｂにより、発熱部品２０を覆うことで内側ＩＮに配置された電子部品などに電磁波が影響を及ぼすことを防止することができる。
【０１３３】
さらにまた、放熱構造体１ｘは、アッパーカバー１２を装着する装着動作により、押し付け部材３０が発熱部品２０を押し付ける押し付け強度を調整する調整型貫通孔４５を備えているが、このような構成に限定する必要はなく、例えば、アッパーカバー１２の装着後に押し付け部材３０が発熱部品２０を押し付ける押し付け強度を調整する構成であってもよい。  
具体的には、アッパーカバー１２の装着後に、筐体１０の外部からネジ止めなどの操作を行うことにより、押し付け部材３０の位置を調整できる構成としてもよい。
【０１３４】
また、押し付け部材３０においてアッパーカバー１２を押し付ける部位の面積を広くしてもよい。これにより、広範囲で発熱部品２０を押し付けることができるため、押し付ける力が集中することがなく、発熱部品２０の損傷を防止できる。
【０１３５】
さらにまた、放熱構造体１において、押圧側本体３２、被作用側本体３３が可撓性を有する部材で構成されてもよい。これにより、発熱部品２０が被作用側本体３３を押し付ける際の衝撃や、押し付け部材３０で発熱部品２０を押し付ける力を押圧側本体３２、被作用側本体３３が吸収することができ、発熱部品２０の損傷を防止できる。
【０１３６】
なお、押圧側本体３２の内側ＩＮには放熱フィンを設けてもよい。
【符号の説明】
【０１３７】
１、１ｘ、１Ａ，１Ｂ，１Ｃ，１Ｄ          放熱構造体
１１ｄ      案内部
１２、１２Ｄ        アッパーカバー
１２ｂ、１２ｂＤ      側面
１３        基板
２０        発熱部材
２２        当接凹部
３０        押し付け部材
３２１      押圧部
３３１      被作用部
３４        係止凹部
４２        連結壁
４６        連結部
４５        調整型貫通孔
５０Ｂ、５０Ｃ        押し付け部材
【図１】
2020161772.tif 000003
【図２】
2020161772.tif 000004
【図３】
2020161772.tif 000005
【図４】
2020161772.tif 000006
【図５】
2020161772.tif 000007
【図６】
2020161772.tif 000008
【図７】
2020161772.tif 000009
【図８】
2020161772.tif 000010
【図９】
2020161772.tif 000011
【図１０】
2020161772.tif 000012